(57)【要約】【課題】より少ないＬＥＤ照明装置によって効果的に棚上の商品を照明することを可能とするショーケースを提供する。【解決手段】本発明のショーケース１は、前面が開口する陳列室１１内に架設した棚３０上に商品を陳列するものであって、棚３０は、商品が載置される棚板３２と、棚板３２の前端部に取り付けられたプライスレール３４とを有し、プライスレール３４内には、ＬＥＤ素子４３を有して前方に向けられた棚ＬＥＤ照明装置７０と、棚ＬＥＤ照明装置７０に対向して構成された反射面７１が設けられ、ＬＥＤ照明装置７０のＬＥＤ素子４３から照射された光を、反射面７１により棚３２の上下に向けて反射させる。【選択図】図４
2010078251.tif 000002
【特許請求の範囲】
【請求項１】
前面が開口する陳列室内に架設した棚上に商品を陳列するショーケースにおいて、
前記棚は、前記商品が載置される棚板と、該棚板の前端部に取り付けられたプライスレールとを有し、
該プライスレール内には、ＬＥＤ素子を有して前方に向けられたＬＥＤ照明装置と、該ＬＥＤ照明装置に対向して構成された反射面が設けられ、前記ＬＥＤ照明装置のＬＥＤ素子から照射された光を、前記反射面により前記棚の上下に向けて反射させることを特徴とするショーケース。
【発明の詳細な説明】
【技術分野】
【０００１】
本発明は、前面が開口する陳列室内に架設した棚上に商品を陳列するショーケースに関するものであって、特に、当該棚上の照明に関するものである。
【背景技術】
【０００２】
従来より、この種のショーケースは、例えば特許文献１に示すように、前面に開口する陳列室内に商品陳列用の複数段の棚装置が架設されており、各棚装置の下面前部及び陳列室の開口上部には、陳列室内を照明するための蛍光灯などの照明装置がそれぞれ取り付けられている。
【０００３】
また、各蛍光灯の上側には例えば白色に塗装された鋼板製の反射板が取り付けられている。この反射板は複数箇所を屈曲されることにより、蛍光灯の上方を略囲繞するように設けられ、蛍光灯から発せられた光のうち上方に向かう光を下方に向けて反射させる。これにより、下方の各棚上の商品をより明るく照明できるようにしていた。
【０００４】
また、これ以外にも、照明装置としてＬＥＤ素子を複数備えたＬＥＤ照明装置を棚板の下面前部に取り付け、これにより、当該照明装置が設けられる下側の棚装置上を照明するショーケースが開発されている。
【特許文献１】特開２００２−３９６７２号公報
【発明の開示】
【発明が解決しようとする課題】
【０００５】
しかしながら、従来の棚に設けられる照明装置では、当該棚に設けられる反射板を用いても、当該照明装置が設けられる棚の下方に設けられる棚上や底板上にしか照射光を向けることができない。
【０００６】
そのため、棚に陳列される商品は、上前方からのみ照明することとなる。そこで、棚前部上端に照明装置を設けることも考えられるが、これでは、棚装置に複数の照明装置を設けなければならず、部品点数の増加に伴うコストの増大や組立作業効率の低下が問題となる。また、一つの棚に設けられる照明装置が複数となることで、棚前端部における重量が増加することとなり、強度の面においても問題があった。
【０００７】
本発明は従来の技術的課題を解決するためになされたものであり、より少ないＬＥＤ照明装置によって効果的に棚上の商品を照明することを可能とするショーケースを提供する。
【課題を解決するための手段】
【０００８】
本発明のショーケースは、前面が開口する陳列室内に架設した棚上に商品を陳列するものであって、棚は、商品が載置される棚板と、該棚板の前端部に取り付けられたプライスレールとを有し、該プライスレール内には、ＬＥＤ素子を有して前方に向けられたＬＥＤ照明装置と、該ＬＥＤ照明装置に対向して構成された反射面が設けられ、ＬＥＤ照明装置のＬＥＤ素子から照射された光を、反射面により棚の上下に向けて反射させることを特徴とする。
【発明の効果】
【０００９】
本発明によれば、前面が開口する陳列室内に架設した棚上に商品を陳列するショーケースにおいて、棚は、商品が載置される棚板と、該棚板の前端部に取り付けられたプライスレールとを有し、該プライスレール内には、ＬＥＤ素子を有して前方に向けられたＬＥＤ照明装置と、該ＬＥＤ照明装置に対向して構成された反射面が設けられ、ＬＥＤ照明装置のＬＥＤ素子から照射された光を、反射面により棚の上下に向けて反射させることにより、一つの棚に設けられるＬＥＤ照明装置によって、当該棚上及びその下方に位置する棚上の商品を照明することが可能となる。
【００１０】
これにより、ショーケースに設けられるＬＥＤ照明装置を削減することが可能となり、コストの低減を図ることができる。
【００１１】
また、すべての棚に当該ＬＥＤ照明装置を設けることによって、それぞれの棚上に陳列される商品を異なる方向から照明することが可能となり、照明効果の向上を図ることが可能となる。
【発明を実施するための最良の形態】
【００１２】
次に、図面を参照して本発明の実施形態について詳述する。図１は本発明を適用したオープンショーケース１の斜視図、図２は図１のオープンショーケース１の縦断側面図をそれぞれ示している。オープンショーケース１は、例えばスーパーマーケットなどの店舗内に据え付けられる縦型のオープンショーケースであり、前面に開口する断面略コ字状の断熱壁２と、据え付け現場において断熱壁２の側面に取り付けられた断熱性の側板５、５とから構成されている。
【００１３】
オープンショーケース１の断熱壁２の内側にはそれぞれ間隔を存して仕切板４及び図示しないもう一枚の仕切板が取り付けられ、これら仕切板４などと断熱壁２間に図示しない内外二層のダクトが形成されている。内側の仕切板４を構成する背部仕切板１０の下端前方には、底板９が断熱壁２の底壁２Ａとの間にダクト用の間隔を存して取り付けられており、これら仕切板４及び底板９の内側を陳列室１１としている。
【００１４】
この陳列室１１内には、高さ及び取り付け角度が変更可能であると共に、陳列室１１内背部の支柱２８に取り付けられる一対のブラケット３１及びこのブラケット３１に支持されてこれらと共に棚３０を構成する棚板３２が複数段に渡って架設されている。尚、当該棚３０の詳細な構成は後述する。
【００１５】
断熱壁２の前面開口１２の上縁にはハニカム材１３、１４がそれぞれ取り付けられた内層吐出口１６及び外層吐出口１７が並設されており、これら内層吐出口１６及び外層吐出口１７は、前記内層ダクト及び外層ダクトにそれぞれ連通している。また、開口１２の下縁には、内層吸込口１８と外層吸込口１９が並設されている。
【００１６】
一方、底板９下方後部には断熱壁２の底壁２Ａ上に前記内層ダクト及び外層ダクトのそれぞれに対応する図示しない送風機が複数台設置されている。背部仕切板１０後方の内層ダクト内には冷却装置の冷却器３９が縦設されており、前記内層ダクトに対応した送風機が運転されると冷却器３９と熱交換した冷気は内層ダクト内を上昇せられ、内層吐出口１６より内層吸込口１８に向かって吐出される。そして、内層吸込口１８から吸い込まれた冷気は再び前記送風機によって加速される。
【００１７】
他方、前記外層ダクトに対応した送風機が運転されると外層ダクト内の空気は外層ダクト内を上昇せられ、外層吐出口１７より外層吸込口１９に向かった吐出される。そして、外層吸込口１９から吸い込まれた空気は再び前記送風機によって加速される。これによって、開口１２には前後二重のエアーカーテンが形成され、内側の冷気エアーカーテンの一部が陳列室１１内に循環されて陳列室１１は冷却される。
【００１８】
一方、断熱壁２の下側前壁２Ｃの上面には、ショーケース１の開口１２下縁の全幅に渡って設けられるハンドレール２０が取り付けられる。この前壁２Ｃの前面には、ハンドレール２０と連続するように前面下パネル２１が取り付けられ、該前面下パネル２１の下方には前面下パネル２１と略面一となるようにバンパー２２が取り付けられる。
【００１９】
そして、断熱壁２の天壁２Ｂ前端（上部前端）には、前方に張り出したキャノピー３３が取り付けられており、このキャノピー３３の内側には、陳列室１１の前面開口１２より外側に延在した状態で反射板４５が取り付けられる。尚、キャノピー３３の前面には図１に示されるように温度表示部３８が設けられている。
【００２０】
この反射板４５は、化粧塗装が施された金属板にて構成されており、前部には、長手方向に渡って、上前方から陳列室１１の前面開口１２を臨む角度、即ち、後斜め下方の陳列室１１方向に面してＬＥＤ照明装置４０が左右に渡って並設されている。
【００２１】
このＬＥＤ照明装置４０は、複数のＬＥＤ素子４３が配設された図示しない基板により構成されている。長手方向に延在して構成されている基板には、所定間隔を存して複数のＬＥＤ素子４３が取り付けられている。本実施例において、ＬＥＤ素子４３は、チップタイプの白色のＬＥＤ素子である。それぞれのＬＥＤ素子４３は、排気孔を下側から囲繞するかたちで取り付けられる透光性のシェード４６によってカバーされる。
【００２２】
係る構成により、各ＬＥＤ照明装置４０が点灯されると、シェード４６において拡散された後のそれぞれのＬＥＤ素子４３の照射光により、陳列室１１の外側に位置する上前方から陳列室１１内全体が照明される。
【００２３】
次に、図３及び図４を参照して、本実施例における棚３０について詳述する。図３は棚３０の縦断側面図、図４は図３の前部拡大図をそれぞれ示している。本実施例の棚３０を構成する棚板３２は、前縁を下方に略垂直に折曲して構成された前壁５０と、この前壁５０の下端から略直角に後方に折曲された後向きのフランジ５１と、後縁において下方に折曲された後壁５２と、この後壁５２の下端から前方に折曲された前向きのフランジ５３とを有する塗装鋼板５４と、この塗装鋼板５４の左右両側縁下面に沿って溶接固定され、前記ブラケット３１に載置される左右一対の鋼板製補強部材５５と、塗装鋼板５４の長手方向の下面に沿って溶接固定された補強部材５６とから成るものである。
【００２４】
３４は、棚板３２の前縁に沿って取り付けられ、この棚板３２の装飾体を兼用するプライスレールであり、硬質合成樹脂により成形されている。係るプライスレール３４は、棚板３２の前面に位置する前壁部５７と、この前壁部５７の下端から後方に水平に延びる連壁部５８と、この連壁部５８の後端に連結され、全体として後上がりに傾斜する後壁部５９とから構成されている。
【００２５】
前記前壁部５７は凹状に湾曲しており、その上縁前面及び下縁に沿って棚板３２に載置された商品の品名や価格等を記載した紙又は樹脂シートからなる図示しない表示カードを係脱自在に保持する係止片が形成されている。
【００２６】
また、この前壁部５７には上縁裏面から後方に向かって延びる略Ｌ字状の突起６０が形成されている。後壁部５９には棚板３２のフランジ５１を嵌合するための前向きの嵌合溝６１が形成されている。そして、前壁部５７と、嵌合溝６１を構成するフランジ５１の上前端部６２との間には、当該上前端部と所定間隔を存して上方に起立する支持部６３が形成されている。
【００２７】
これにより、支持部６３とフランジの上前端部６２によって、略垂直上方に開口する凹所６５が形成され、前壁部５７と支持部６３とによって斜め上後方に開口する凹所６４が形成される。図中、当該凹所６５内に嵌め込まれている３５は、棚板３２の前壁５０とプライスレール３４の６０との間に位置して棚板３２上の商品が落下することを防止するためのガードである。当該ガードは、透光性を有する透明なガラス或いは樹脂板から構成されている。
【００２８】
一方、プライスレール３４内に位置する支持部６３の前面には、棚ＬＥＤ照明装置７０が配設されている。当該棚ＬＥＤ照明装置７０は、上記ＬＥＤ照明装置４０と同様に、複数のＬＥＤ素子４３が配設された図示しない基板により構成されている。棚３０の長手方向に延在して構成されている基板には、所定間隔を存して複数のＬＥＤ素子４３が取り付けられている。各ＬＥＤ素子４３は、当該ＬＥＤ素子４３からの照射光が前方、乃至上前方、この場合プライスレール３４の前壁部５７に向けて配設されている。
【００２９】
また、プライスレール３４の前壁部５７の裏面には、当該棚ＬＥＤ照明装置７０の各ＬＥＤ素子４３に対向する反射面（反射部材。例えばミラー）７１が設けられている。本実施例では、当該反射面７１は、前方、乃至、上前方に向けて支持部６３の前面に設けられる棚ＬＥＤ照明装置７０の各ＬＥＤ素子４３からの照射光を後上方乃至後下方に向けて反射、分散する角度に調整されているものとする。
【００３０】
また、当該プライスレール３４の連壁部５７（プライスレール３４の下壁を構成する）には、当該反射面７１にて反射したＬＥＤ素子４３からの光を透過して後下方に照射するための複数の透孔７２が形成されている。尚、本実施例では、透孔７２によって、後下方へ光を透過可能としているが、反射面７１からの反射光を後下方へ透過可能とするものであれば、これに限定されるものではなく、例えば、連壁部５７の少なくとも一部を光を透過可能な透光性材料により構成してもよい。
【００３１】
以上の構成により、棚３０を組み立てる場合には、まずはじめに、棚板３２の前壁５０のフランジ５１をプライスレール３４の嵌合溝６０に挿入する。このとき棚板３２の前壁５０裏面には、プライスレール３４の上前端部６２前面が当接し、プライスレール３４を支持している。
【００３２】
この状態において、棚板３２の前壁５０とプライスレール３４の前壁部５７に形成された突起６０間には、間隔が形成され、この間隔にガード３５を上から差し込む。この場合、ガード３５の下部は、プライスレール３４の後壁部５９と連続して形成された支持部６３と上前端部６２とにより画成された凹所６５に挿入される。
【００３３】
これにより、棚板３２には、内部に棚ＬＥＤ照明装置７０が設けられたプライスレール３４が取り付けられることとなる。
【００３４】
従って、当該棚ＬＥＤ照明装置７０の各ＬＥＤ素子４３を点灯することにより、ＬＥＤ素子４３から前方乃至、上前方に照射された光は、プライスレール３４内に当該ＬＥＤ素子４３と対向して設けられる反射面７１に反射、分散され、後下方に反射された光は、プライスレール３４の連壁部５８に形成された透孔７２を介して当該棚３０の下方に架設される棚３０の棚板３２上、若しくは、底板９上を照明する。これにより、上側に架設された棚３０の前端部から後下方に照射される光によって、棚板３２上に陳列される商品を照明することができる。
【００３５】
また、反射面７１によって後上方に反射された光は、透光性のガード３５を透過して当該棚３０の棚板３２上を前部下方から照明する。従って、当該棚板３２上に陳列される商品は、反射面７１により反射された光によってライトアップすることができ、効果的な照明を実現することができる。
【００３６】
このように、プライスレール３４によって棚板３２の前端部に取り付けられた一つの棚ＬＥＤ照明装置７０により、当該棚３０の棚上及び当該下方に架設される棚３０（若しくは底板９）上に陳列される商品を照明することが可能となる。
【００３７】
そのため、当該棚ＬＥＤ照明装置７０を備えたプライスレール３４を各棚３０の一段おきに配設することによって、当該ＬＥＤ照明装置７０が設けられた棚３０は、前端部下方から棚上の商品を照明することができると共に、照明装置７０が設けられていない下側に架設された棚３０上の商品は、上側の棚３０に設けられる照明装置７０の前端部下側から照射される光によって前上方向から効果的に照明することが可能となる。
【００３８】
これにより、ショーケースに設けられる棚ＬＥＤ照明装置７０を削減することが可能となり、コストの低減を図ることができる。
【００３９】
また、全ての棚３０に当該棚ＬＥＤ照明装置７０を設けることによって、それぞれの棚板３２上に陳列される商品を異なる方向からの光、即ち、上方向からの光と下方向からの光（ライトアップ照明）によって照明することが可能となり、照明効果の向上を図ることが可能となる。
【００４０】
尚、本実施例では、棚板３２を透光性材料により構成することにより、より反射面７１において反射された棚ＬＥＤ照明装置７０からの光を棚板３２上に照射することが可能となる。これにより、より効果的な照明を実現することが可能となる。
【００４１】
また、当該構成は図３や図４に限定されるものではなく、例えば図５に示すように、プライスレール３４の高さ寸法を、棚板３２の高さ寸法より所定寸法だけ高く構成してもよい。これにより、ＬＥＤ照明装置７０から照射され反射面７１において後上方に反射された光をより効果的に、当該棚３０の棚上前方から照明することが可能となる。
【図面の簡単な説明】
【００４２】
【図１】本発明を適用したオープンショーケースの斜視図である。
【図２】図１のオープンショーケースの縦断側面図である。
【図３】棚の縦断側面図である。
【図４】図３の前部拡大図である。
【図５】他の実施例としての棚の前部拡大図である。
【符号の説明】
【００４３】
１    オープンショーケース
２    断熱壁
９    底板
１１  陳列室
１２  前面開口
２８  支柱
３０  棚
３１  ブラケット
３２  棚板
３４  プライスレール
３５  ガード
４０  ＬＥＤ照明装置
４３  ＬＥＤ素子
５０  前壁
５１  フランジ
５５、５６  補強部材
５７  前壁部
５８  連壁部
５９  後壁部
６０  突起
６１  嵌合溝
６２  上前端部
６３  支持部
６４、６５  凹所
７０  棚ＬＥＤ照明装置
７１  反射面（反射部材。ミラー）
【図１】
2010078251.tif 000003
【図２】
2010078251.tif 000004
【図３】
2010078251.tif 000005
【図４】
2010078251.tif 000006
【図５】
2010078251.tif 000007